Podtech/llm-jp-corpus-v4-ja_patent huggingface dataset:
(57)【要約】［課題］　歯間に挟った食べ物の「かす］を取り除く為に使用する楊枝類の不具合を解消する為の方策。［解決手段］　長方形の硬質合成樹脂薄板の左右の長辺を数等分し、その左右の等分点を結ぶミシン目線．１斜辺とミシン目線．２長辺及びその２辺の基点を結ぶ．３短辺に依って形成する直角三角形型の板楊技４を連ねた連帯５から折り取って歯間に挟まった食べ物の［かす］を掻き取ることである。【選択図】　　［図１］
0003099945.tif 000002
【実用新案登録請求の範囲】
【請求項１】
　長方形の硬質合成樹脂薄板の左右の長辺を数等分し、その左右の等分点を結ぶミシン目線．１斜辺とミシン目線．２長辺及びその２辺の基点を結ぶ．３短辺に依って形成する直角三角形型の板楊枝４を連ねた連帯５の構造。
【考案の詳細な説明】
【考案の詳細な説明】
　　［考案の属する技術分野］
【０００１】　本考案は歯間に挟った食べ物の［かす］を取り除く楊枝に係わるものである。　　［従来の技術］
【０００２】　いままでは、歯間に挟った食べ物の「かす］を取り除くには、木又は竹などの細い棒状のものの先端を尖らせた爪楊枝，小円弧状の枠に糸を張った糸楊枝，電動型パルスジェット噴出式などがある。　　［考案が解決しようとする課題］
【０００３】　従来の技術のうち，棒状の爪楊枝は先端からじょじょに太くなる為に狭い歯間に差込みにくく，糸楊枝は柔軟な為に歯間壁を削る力が弱く，電動型パルスジェット噴出式は携帯に不便である。　　［課題を解決する為の手段］
【０００４】　長方形の硬質合成樹脂薄板の左右の長辺を数等分し、その等分点を結ぶミシン目線．１斜辺とミシン目線．２長辺及びその２辺の基点を結ぶ１等分．３短辺に依って形成する直角三角形型の板楊枝４を連ねた連帯５のミシン目線．１斜辺又はミシン目線．２長辺から折り取って．３短辺を摘んで［かす］の挟った歯間に尖端を差し込んで前後、上下にスライドさせて食べ物［かす］を掻き落とす。　　「考案の実施の形態］
【０００５】　考案の実施の形態について図面を参照して説明する。連帯５のミシン目線．１斜辺又はミシン目線．２長辺を折り曲げて板楊枝４を折り取り３短辺を摘んで．１斜辺と．２長辺の２辺が形成する鋭角の尖端を食べ物の［かす］が挟まっている歯間に当て前後、上下にスライドさせて「かす］を掻き取る。　　［考案の効果］
【０００６】　本考案の板楊枝４は硬質の薄板で．１斜辺と．２長辺に依って鋭角を形成している為、尖端から．３短辺にゆくほど強度を増し、旦つ両辺共鋭いエッヂを具えているので歯面を削ぎ落とす効果は抜群、嵩ばらず携帯至便である。
【図面の簡単な説明】
【図１】本考案，板楊枝４が連なった連帯５の正面図。
【図２】本考案，連帯５の側面図。
【図３】本考案，板楊枝４の斜視図。
【図４】本考案，連帯５の一部を現わす拡大正面図。
【図５】本考案，連帯５の一部を現わす拡大縱断Ａ−Ａの側面図。
【符号の説明】
１　ミシン目線．１　斜辺２　ミシン目線．２　長辺３　　　　　　　３　短辺４　　　　　　　４　板楊枝５　　　　　　　５　連帯
【図１】
0003099945.tif 000003
【図２】
0003099945.tif 000004
【図３】
0003099945.tif 000005
0003099945.tif 000006
【手続補正書】
【提出日】平成15年10月10日(2003.10.10)
【手続補正１】
【補正対象書類名】図面
【補正対象項目名】図４
【補正方法】追加
【補正の内容】
【図４】
0003099945.tif 000007
【手続補正２】
【補正対象書類名】図面
【補正対象項目名】図５
【補正方法】追加
【補正の内容】
【図５】
0003099945.tif 000008
(57)【要約】　　　（修正有）【課題】　洗浄スポンジから連続的に洗浄泡をださせるようにする。【解決手段】　スポンジ１の内部に石鹸２を設置することにより、車やバスタブ等の表面にあらかじめ付着させた水分を吸収し、またスポンジをもむことにより洗浄泡がスポンジ中空部から表面にあけた穴４を通してスポンジ表面に発生、連続的に供給することにより洗浄作業がスムーズに行えるようにする。【選択図】　図２
0003099943.tif 000002
【実用新案登録請求の範囲】
【請求項１】
スポンジの内部に石鹸を設置し、スポンジに洗浄泡が通過しやすいように複数の穴をあけ、またスポンジの破れを防止するネットをスポンジ中空部にはってあり、かつ石鹸を補給するスリットを持つ洗浄用具。
【考案の詳細な説明】
【考案の詳細な説明】
【技術分野】
【０００１】本考案は、車とかバスタブ等の洗浄に洗浄泡を連続的に供給する洗浄スポンジで、洗浄用具に関するものである。
【背景技術】
【０００２】従来の洗車スポンジには洗剤保持穴を設けたものがある。【０００３】
【特許文献】実用新案登録第３０１０４２４
【考案が解決しようとする課題】
【０００４】従来、車とかバスタブ等を洗浄するスポンジは存在していたが、洗浄用の洗剤泡が連続的に供給されないので、いちいち洗浄容器の中に作っておいた洗浄液にスポンジを浸す必要があり、めんどうであるという問題を有していた。
【考案が解決しようとする課題】
【０００５】上記課題を解決する為に洗浄泡を連続的に供給する為に、スポンジの内部に石鹸をあらかじめ設置しておことにより、いちいち洗浄容器の中に作られた洗浄液にスポンジを浸すことをなくし、めんどうであるという問題をなくそうとするものである。
【考案を実施するための最良の形態】
【０００６】図１〜図２において、スポンジの中心部は中空になっておりそこに石鹸が設置されており、車又はバスタブ等などの表面に事前に付着させてある水分を吸収、およびスポンジをもむことによりスポンジ中空部に洗浄泡が発生する。この泡はスポンジの中空部分から表面に向かってあけられた複数の穴を通してスポンジ表面に連続的に供給される。スポンジ中空部の表面に貼られたネットは石鹸とスポンジがこすれることによる、スポンジ側に与えられた摩擦力を分散し、摩擦によるスポンジへのダメージをやわらげる働きをする。また石鹸を補給する為のスリットが設けられている。
【考案の効果】
【０００７】石鹸を内部に設置したスポンジは事前に車またはバスタブ等の表面に付着させた水分を吸収し、そしてスポンジをもむことによりスポンジにあけた穴を通して洗浄泡をスポンジ表面に連続的に発生、供給することができ、いちいち洗浄液の入った容器の中にスポンジを浸す必要がなくなり洗浄作業がスムーズにできるようになり、めんどうであるという問題点が取り除かれた。
【図面の簡単な説明】
【図１】石鹸を内部に設置した洗浄スポンジの斜面図である
【図２】石鹸を内部に設置した洗浄スポンジのＡ−Ａ断面図である
【符号の説明】
　　　１　スポンジ
　　　２　石鹸
　　　３　ネット
　　　４　穴
　　　５　スリット
【図１】
0003099943.tif 000003
【図２】
0003099943.tif 000004
(57)【要約】
【課題】　搬送車のキャスター用タイヤの反発弾性・耐磨耗性・耐寒性・振動・騒音等の不都合を改善し、ホイールの装着が容易に行なえ車輪としてその機能を十分に発揮できるようにする。
【解決手段】　天然ゴムよりなるリング状でその両側面に凹状の環溝１１を環状に穿設し、環溝１１に直交して環溝１１の内側の両側面一箇所或は数箇所に切溝１２を環溝１１に一端が接続するよう穿設してなる内タイヤ７を、合成ゴムよりなる薄厚さの外タイヤ２内に嵌入にて組合せ一体化させたものである。
【選択図】　図１
0003099969.tif 000002
【実用新案登録請求の範囲】
【請求項１】
　天然ゴムよりなるリング状でその両側面に凹状の環溝を環状に穿設してなる内タイヤを、合成ゴムよりなる薄厚さの外タイヤ内に嵌入にて組合せ一体化したことを特徴とするキャスター用タイヤ。
【請求項２】
　内タイヤに穿設した環溝に直交して環溝の内側の両側面一箇所或は数箇所に切溝を環溝に一端が接続するよう穿設してなる請求項１記載のキャスター用タイヤ。
【考案の詳細な説明】
【技術分野】
【０００１】本考案は商品や製品を載置して搬送する搬送車のキャスター用タイヤに関するものである。
【背景技術】
【０００２】従来の搬送車のキャスター用タイヤには、天然ゴム・ブタジェンゴム・スチレンブタジェンゴム・ナイロン・ウレタンなどの材質を用いたものが主流であり、その他としてクッション性を高めるために空気入り或はゴム発砲・ウレタン発砲のものがある。
【考案の開示】
【考案が解決しようとする課題】
【０００３】　解決しようとする問題点として、このように搬送車のキャスター用タイヤに使用している天然ゴム・ブタジェンゴム・スチレンブタジェンゴム製は、長期に使用していると、ひび・割れが起こりやすく、タイヤの硬さも限られているためクッション性がなく、路面・接地面が悪いと段差を通過することが非常に困難である。【０００４】　又、ナイロン・ウレタン製は、硬く長期にわたり使用出来る長所があるが、天然ゴム・ブタジェンゴム・スチレンブタジェンゴム製以上に路面に応じてタイヤが変形することがないので同様に段差などを乗り越えるのが困難である。
更に、空気入り製は、空気が抜けたりパンクする可能性が高くその都度の管理が大変であると共に、ゴム発砲・ウレタン発砲製は、発泡のために長期使用や長期保管時に発泡層が崩れ、縮みが生じて外れてしまったりする。【０００５】　特に路面・接地面が悪い場所或は僅かに段差のある場所での搬送時には、搬送による独特の異音を発するため、夜間においてはそれが騒音となり安眠を妨害するなど環境問題を起こす要因になってきている等搬送車用の車輪として使用上非常に不都合を感じていた。
【課題を解決するための手段】
【０００６】　天然ゴムよりなるリング状でその両側面に凹状の環溝を環状に穿設し、環溝に直交して環溝の内側の両側面一箇所或は数箇所に切溝を環溝に一端が接続するよう穿設してなる内タイヤを、合成ゴムよりなる薄厚さの外タイヤ内に嵌入にて組合せ一体化したものである。
【考案の効果】
【０００７】　このように組合わせて一体化させたタイヤは、内タイヤの天然ゴムによる、反発弾性・耐磨耗性・耐寒性・振動防止・騒音防止の特性を生かし、内タイヤの天然ゴムの弱点である耐油性・耐候性を外タイヤで補っている。
　そして環溝によって、タイヤとしての弾性を十分に引き出し且つ軽量化を計ると共に、タイヤのホイール装着時に生じる圧迫による内タイヤ（天然ゴム）の膨らみを防止する。
　更に、切溝によってタイヤのホイール装着時に発生するタイヤ内の空気圧を外に押し出し、ホイールの装着が容易に行なえ車輪としてその機能を十分に発揮することが出来るためその利用範囲も広くなる等実用上非常に優れた考案である。
【考案を実施するための最良の形態】
【０００８】　天然ゴムよりなるリング状でその両側面に凹状の環溝を環状に穿設し、環溝に直交して環溝の内側の両側面一箇所或は数箇所に切溝を環溝に一端が接続するよう穿設してなる内タイヤを、合成ゴムよりなる薄厚さの外タイヤ内に嵌入にて組合せ一体化したものである。
【実施例】
【０００９】　以下本考案の一実施例を図面について説明する。
　図中１はキャスター用タイヤ全体を示し、２は合成ゴムよりなる薄厚さの外タイヤであって、外周にトレッド部３を設け、トレッド部３両側にリムライン４を環状に凸設するサイド部５を設けて断面を略Ｕ字形とし、サイド部５先端にビート６を内側に向けて設けている。【００１０】　７は天然ゴムよりなり断面が略円形でリング状の内タイヤであって、外周を湾曲面としたクラウン部８とし、両側に内方向に傾斜させたサイド部９を設け、サイド部９端部に内周を内方向に凸状とした内周部１０を設け、クラウン部８とサイド部９の接続部にＵ字形とした凹状の環溝１１を環状に穿設すると共に、サイド部９の一箇所に環溝１１直交にて接続する切溝１２を穿設している。【００１１】　使用に当たっては、トレッド部３内側にクラウン部８を、サイド部５内側にサイド部９をそれぞれ対応させてビート６にて内周部１０を抱え込むようにし、外タイヤ２内に内タイヤ７を嵌入にて組合わせ一体化させてタイヤ１として用いる。
　このように組合わせたタイヤ１は、内タイヤ７の天然ゴムによる、反発弾性・耐磨耗性・耐寒性・振動防止・騒音防止の特性を生かし、内タイヤ７の天然ゴムの弱点である耐油性・耐候性を外タイヤ２で補っている。【００１２】　そして環溝１１によって、タイヤ１としての弾性を十分に引き出し且つ軽量化を計ると共に、タイヤ１のホイール装着時に生じる圧迫による内タイヤ７（天然ゴム）の膨らみを防止する。
　更に、切溝１２によってタイヤ１のホイール装着時に発生するタイヤ１内の空気圧を外に押し出し、ホイールの装着が容易に行なえ車輪としてその機能を十分に発揮することが出来る。
【図面の簡単な説明】
【００１３】
【図１】実施例の一部を破断した正面図
【図２】実施例の一部を破断した右側面図
【符号の説明】
【００１４】　１　タイヤ
　２　外タイヤ
　７　内タイヤ
１１　環溝
１２　切溝
【図１】
0003099969.tif 000003
【図２】
0003099969.tif 000004
(57)【要約】
【課題】　　フード付き衣類を干す時に、フードの部分を気持ちよく乾かすことのできるフード付き衣類を干すハンガーを提供する。
【解決手段】　　ハンガー上のひっかけのある部分を中心に輪状のものを取り付けて、その輪状のものの中心部から固定しないチェーンのようなものを取り付けその上にひっかけ部分をつけたフード付き衣類のフードの部分を輪状のものにかぶせて干すことを特徴とするハンガー。
【選択図】　　図１
0003099970.tif 000002
【実用新案登録請求の範囲】
【請求項１】
　ハンガー上のひっかけのある部分を中心に輪状のものを取り付けて、その輪状のものの中心部から固定しないチェーンのようなものを取り付けその上にひっかけ部分をつけたフード付き衣類のフードの部分を輪状のものにかぶせて干すことを特徴とするハンガー。
【考案の詳細な説明】
【技術分野】
【０００１】　本考案は、フード付き衣類を洗濯して干す時に、フードの部分を気持ちよく乾かすことのできるハンガーに関するものである。
【背景技術】
【０００２】　従来、フード付きの衣類を干す時は一般に使われている普通のハンガーに、フードの部分を垂らして干していた。
　あるいは、竿に袖を通して干す時にもフードの部分を垂らして干していた。
【考案の開示】
【考案が解決しようとする課題】
【０００３】　そのために次のような問題点があった。
（イ）フード付き衣類を洗濯して干す時には、ハンガーにかけて干しても、竿に袖を通して干してもフードの部分を前側あるいは後側に倒して干すので接触している部分が気持ちよく乾いていないことが度々あった。
（ロ）フードの部分を気持ちよく乾かすために、時間を見て倒していない方の部分（前側）が乾いたら反対の部分（後側）を乾かすためにフードを以前と違う方向へ倒していた。
　本考案は、以上の問題点を解決するためになされたものである。
【課題を解決するための手段】
【０００４】　ハンガー上のひっかけのある部分を中心に輪状のものを取り付けて、その輪状のものの中心部から固定しないチェーンのようなものを取り付けその上にひっかけ部分をつけたフード付き衣類のフードの部分を輪状のものにかぶせて干すことを特徴としたハンガーである。
【考案の効果】
【０００５】　本考案により、フード付き衣類を干す時には、フードの部分をハンガー上部に取り付けた輪状のものにかぶせて干せるために、フードの部分がたっているので乾きにくいということがない。
【考案を実施するための最良の形態】
【０００６】　以下、本考案の実施の形態について説明する。
（イ）ハンガー（１）上部のひっかけ部分（３）の中心に輪状のもの（２）を結束バンド（６）で取り付ける。
（ロ）輪状のもの（２）の中心部から、チェーンのようなもの（５）を空いている隙間に通して取り付けその上にひっかけ部分（４）に穴を開けて取り付ける。
（ハ）ハンガーの上の方の部分にはゴム布（７）を巻いておくと、竿に袖を通して干す時にも大きな洗濯ばさみなどでハンガーと竿を止める時にすべりにくい。
【実施例】
【０００７】（イ）図２に示すように、フード付き衣類（９）を、フード付き衣類を干すハンガーにかけて竿（８）につるす。ひっかけ部分（４）は輪状のものの先につけるとフードの部分がかぶせられないので、輪状のものの中心部からチェーンのようなものを取り付けてひっかけ部分を作った。
（ロ）図３に示すように、竿に袖を通して干す時は、ハンガーを衣類の内側に入れ、フードの部分が輪状のものにかぶせるようにして、大きな洗濯ばさみ（１０）で竿とゴム布（７）を巻いた部分のところを止める。図３はハンガーを衣類の内側に入れたものとして竿とハンガーの見えない部分を点線で描いている。
【図面の簡単な説明】
【０００８】
【図１】本考案の斜視図
【図２】本考案の使用状態その１を示す斜視図
【図３】本考案の使用状態その２を示す斜視図
【符号の説明】
【０００９】　１．ハンガー
　２．輪状のもの
　３．ひっかけ部分
　４．ひっかけ部分
　５．チェーンのようなもの
　６．結束バンド
　７．ゴム布
　８．竿
　９．フード付き衣類
　１０．大きな洗濯ばさみ
【図１】
0003099970.tif 000003
【図２】
0003099970.tif 000004
【図３】
0003099970.tif 000005
(57)【要約】　　　（修正有）【課題】移動、設置の簡単なゴミ容器を提供する。【解決手段】三分割一体型にして、開口部つきの蓋部１、中間ネット部２、底部３、蓋部と底部の補強部４からなり、蓋部と中間部と底部を接続し、補強部を取り付けたものである。【選択図】図１
0003099912.tif 000002
【実用新案登録請求の範囲】
【請求項１】
ボックス型を蓋部、中間ネット部、底部に三分割した、一体型容器。
【考案の詳細な説明】
【考案の詳細な説明】
【技術分野】
【０００１】　ゴミ収集業者が作業しやすく、日中作業に於いても鳥獣被害のないゴミ容器。
【背景技術】
【０００２】　従来のゴミ容器は業者の作業効率が悪いボックス型で、同時に道路を占拠して通行の妨げであった。又道路山出しでは、鳥獣被害が大木かった。
【考案が解決しようとする課題】
【０００３】　ゴミ出し入れ口を大きくし作業効率を高め、移動を簡単にし、鳥獣被害のでないもの。
【課題を解決するための手段】
【０００４】　三分割一体型にして、蓋部の開口部を大きくした。（全開放）中間ネット使用したため空の状態では、底部に全て収納されるため移動が簡単である。同時に、収納中でも鳥獣被害は無くなる。
【考案を実施するための最良の形態】
【０００５】　全体的な形態構成は、開口部つきの蓋部、中間ネット部、底部、蓋部と底部の補強部からなり、蓋部と中間部と底部を接続し、補強部を取り付けたものである。
【実施例】
【０００６】
【考案の効果】
【０００７】　お年寄りでも簡単に移動設置が楽にできた。収集作業後の清掃管理を当番さんが嫌がらなくなった。
【図面の簡単な説明】
【図１】　本案の斜視図である。
【符号の説明】
　１は開口部付き蓋部、２は中間ネット部、３は底部、４は折畳型補強部。
【図１】
0003099912.tif 000003
(57)【要約】
【課題】　本考案は携帯電話機本体と一体化した拡大レンズによりディスプレイ部やキー操作部の表示を拡大して見易くするとともに拡大レンズの持ち運び性を改善した。
【解決手段】　本考案は携帯電話機１に２枚の拡大レンズ２ａ、２ｂを取り付けた。拡大レンズはスライドまたははめ込むことで携帯電話機本体に簡単に装脱着することが可能であり、取り外した拡大レンズを使ってディスプレイ部やキー操作部を拡大して見易くすることが可能となる。また、拡大レンズが携帯電話機本体と一体化しているので邪魔にならず、持ち運び性に優れたものとなっている。
【選択図】　図１
0003099911.tif 000002
【実用新案登録請求の範囲】
【請求項１】
　着脱可能な拡大レンズを携帯電話機本体に取り付けることを特徴とした拡大レンズ付携帯電話機
【請求項２】
　拡大レンズをスライドまたははめ込むことで携帯電話機本体に着脱可能とした拡大レンズ付携帯電話機
【請求項３】
　２枚の拡大レンズによりディスプレイ部と操作キー部の両方を同時に拡大して見ることを可能とした拡大レンズ付携帯電話機
【請求項４】
　拡大レンズがプラスチック製のフレネルレンズである拡大レンズ付携帯電話機
【考案の詳細な説明】
【技術分野】
【０００１】　本考案は中高年など視力の弱い人が使える着脱可能な拡大レンズを取り付けた拡大レンズ付携帯電話機話機に関するものである。
【背景技術】
【０００２】　近年携帯電話の普及は著しく一人一台のパーソナルツールになってきた。
また、機能的にも大きく発展し通話機能のみならず、メール通信や画像通信が広く使われるようになってきたがこの様な機能を使う際に中高年など視力の弱い人にはディスプレイ表示や操作キーが小さくて見にくいという問題点があった。これを解決するためにディスプレイ部のカバー部をレンズ材にしたり、レンズをストラップで携帯電話機本体に取り付けたりした考案があるが拡大できる部分がディスプレイか操作キーの片方に限られたり、携帯電話機本体と拡大レンズが紐体で繋がれているために邪魔になると云う問題点があった。
【考案の開示】
【考案が解決しようとする課題】
【０００３】　携帯電話機においてディスプレイ部や操作キーが小さくて見にくいという問題点がある。本考案は携帯電話機本体に取り付けた拡大レンズにより前述の問題点を解決しようとするものである。また拡大レンズと携帯電話機本体とを一体化することにより持ち運びに優れた拡大レンズ付携帯電話機を提供するものである。
【課題を解決するための手段】
【０００４】　本考案はディスプレイ部や操作キーを拡大して見やすくできる拡大レンズを携帯電話機本体に取り付けた。拡大レンズはスライドまたははめ込むことで簡単に携帯電話機本体に装着脱出来るようにすることで持ち運びの際に邪魔にならないよう改善した。また、２枚の拡大レンズを使用することでディスプレイ部と操作キーの両方を同時に拡大して見ることが出来るようにしたものである。
【考案の効果】
【０００５】　上述のように、本考案の拡大レンズ付携帯電話機は携帯電話機本体に取り付けた拡大レンズによりディスプレイ部や操作キーを拡大して見やすくするとともに、使用しない時には拡大レンズが携帯電話機本体と一体化しているので持ち運びに優れたものとなる。
【考案を実施するための最良の形態】
【０００６】　ディスプレイ部と操作キーを見やすくする２枚の拡大レンズはスライドまたははめ込むことで携帯電話機本体に簡単に着脱が可能となるようにしている。また使用時には１枚の拡大レンズをディスプレイ部にスライドまたははめ込むことで拡大して見ながら、もう１枚の拡大レンズで操作キーを同時に拡大して見ることを可能とした。
【実施例】
【０００７】　図１は本考案の実施例である。携帯電話機に２枚の拡大レンズ２ａ、２ｂを取り付ける。２ａはディスプレイ側の裏面に、２ｂはキイ操作側の裏面に取り付ける。拡大レンズ２ａ、２ｂはスライドまたははめ込みにより携帯電話機本体に取り付けられて一体化しているので拡大レンズを紛失してしまう心配がない。拡大レンズ使用時にはスライドまたは引き抜くことで携帯電話機本体から容易に脱着することができる。【０００８】　図２は携帯電話機から取り外した拡大レンズ２ａを携帯電話機のディスプレイ部３に取り付けた使用説明図である。拡大レンズ２ａは携帯電話機のディスプレイ部にスライドまたははめ込むことで容易に装着ができる。これによりディスプレイ部の表示を拡大して見ることが可能であり、かつ拡大レンズが携帯電話機本体に装着されて一体化しているので携帯電話機のキイ操作を片手で行うことができる。【０００９】　図３は携帯電話機から取り外した拡大レンズ２ａを携帯電話機のディスプレイ部の上からかざすことによりディスプレイ部の表示を拡大して見ることができる。図２の実施例よりも拡大レンズでの拡大率を高くすることが可能となる。【００１０】　図４は拡大レンズ２ａを携帯電話機のディスプレイ部にスライドまたははめ込んで装着してディスプレイ部の表示を拡大して見ると同時に、拡大レンズ２ｂをキイ操作部の上からかざすことで操作キーを拡大して見ることができる。
【図面の簡単な説明】
【００１１】
【図１】本考案の拡大レンズ付携帯電話機の斜視図である。
【図２】本拡大レンズ付携帯電話機の拡大レンズをディスプレイ部に取り付けて使用している状態の説明図である。
【図３】本拡大レンズ付携帯電話機を使用している状態の説明図である。
【図４】本拡大レンズ付携帯電話機の拡大レンズ２枚を同時に使用している状態の説明図である。
【符号の説明】
【００１２】１　　拡大レンズ付き携帯電話
２ａ　拡大レンズ
２ｂ　拡大レンズ
３　　ディスプレイ部
４　　操作キイ部
【図１】
0003099911.tif 000003
【図２】
0003099911.tif 000004
【図３】
0003099911.tif 000005
【図４】
0003099911.tif 000006
(57)【要約】
【課題】　庭を有しないマンションのベランダ等での家庭菜園が実現できると共に、栽培に失敗がなく、且つ廃棄物の問題も生じない家庭菜園用栽培物を提供する。
【解決手段】　適宜容量の鉢体１内に、緩効性肥料を所定量混入させ、且つ可燃性で充分な保水性を有する有機質培養土２を充填し、実物野菜用植物４の苗を所定以上に育成させると共に、鉢体の外径と約一致する径の上下リング部３１と上下リング部３１を連結する縦杆部３２を備えた支柱３を前記鉢体内培養土に差込んで立設し、植物の茎を前記支柱に絡ませて、全体の高さを８０〜９０ｃｍ程度に収め、単に給水するだけで、２００個以上の完熟プチトマトを収穫でき、また収穫終了後には、培養土は可燃性のゴミとして処理できる。
【選択図】　図１
0003099986.tif 000002
【実用新案登録請求の範囲】
【請求項１】
　適宜容量の鉢体内に、緩効性肥料を所定量混入させ、且つ可燃性で充分な保水性を有する有機質培養土を充填し、実物野菜用植物の苗を所定以上に育成させると共に、鉢体の外径と約一致する径の上下リング部と上下リング部を連結する縦杆部を備えた支柱を前記鉢体内培養土に差込んで立設し、植物の茎を前記支柱に絡ませてなることを特徴とする家庭菜園用栽培物。
【請求項２】
　有機質培養土が、椰子殻チップと、ピートモスと、泥炭を主材料としてなる請求項１記載の家庭菜園用栽培物。
【請求項３】
　実物野菜用植物が、茎部分が充分に繁殖し、少なくとも最初の結実が開始した後の状態のプチトマトで、全体の高さを８０〜９０ｃｍ程度とした請求項１又は２記載の家庭菜園用栽培物。
【考案の詳細な説明】
【技術分野】
【０００１】
　本考案は、特にベランダでの栽培に対応する家庭菜園用栽培物に関するものである。
【背景技術】
【０００２】
　鉢植え植物の培養土として、所謂土でないものとしては、スポンジブロック（特許文献１）や、木炭（特許文献２）が知られている。
【０００３】
　また鉢植えの支柱も格子型（特許文献３）、枝型（特許文献４）、リング型（特許文献５）などが知られている。
【０００４】
【特許文献１】特開平７−２３６５６号公報。
【特許文献２】特開２００１−２７５４９２号公報。
【特許文献３】登録実用新案３００２６０８号公報。
【特許文献４】特開平１０−４２７１５号公報。
【特許文献５】実開平６−５２４３２号公報。
【考案の開示】
【考案が解決しようとする課題】
【０００５】
　ベランダや庭先での家庭菜園においては、鉢植えによって野菜の栽培を行うようにしているが、必ずしも栽培が上手に行くとは限らない。また生育が進むと、植物の種類によっては支柱が必要となり、栽培が煩雑になってしまい、栽培の失敗の原因となってしまう。更に庭を有しないマンションのベランダでの栽培では、栽培終了後に、培養土などの廃棄という新たな問題も生ずる。
【０００６】
　特にプチトマトの栽培に際しては、トマトの収穫を効率的に実施するには、茎を長く生育させ、多数の実がなるようにしなければならないが、成長に合わせて支柱を変えたり、支柱に支持させるようにすることは、煩雑な作業となってしまう。
【０００７】
　そこで本考案は、充分に生育した状態で提供することで、栽培に失敗がなくベランダでの家庭菜園が簡単に実現し、前記の問題点も解消した新規な家庭菜園用栽培物を提案したものである。
【課題を解決するための手段】
【０００８】
　本考案に係る家庭菜園用栽培物は、適宜容量の鉢体内に、緩効性肥料を所定量混入させ、且つ可燃性で充分な保水性を有する有機質培養土を充填し、実物野菜用植物の苗を所定以上に育成させると共に、鉢体の外径と約一致する径の上下リング部と上下リング部を連結する縦杆部を備えた支柱を前記鉢体内培養土に差込んで立設し、植物の茎を前記支柱に絡ませてなることを特徴とするものである。
【考案の効果】
【０００９】
　従って前記栽培物は、そのまま日光の当たるベランダなどに置き、水分のみを供給するだけで当該野菜の栽培が可能であり、また所定の支柱で茎を支持していることで、生育している植物全体をコンパクトに収めることができて、ベランダでの栽培が容易であり、また結実と実の育成がなされても何らの問題も生じない。そして食用に適するように育った実物野菜は適宜採取して食用に供すことができ、栽培終了時には、培養度土は可燃性のゴミとして処理できる。
【考案を実施するための最良の形態】
【００１０】
　次に本考案の実施例について説明する。実施例はプチトマトの栽培物について説明する。栽培物は、鉢体１と、培養土２と、支柱３と、栽培野菜（プチトマト）４とで構成される。
【００１１】
　鉢体１は、直径２５〜３０ｃｍ程度で、高さが２５〜３５ｃｍ程度の容量で、その材質は任意である。
【００１２】
　培養土２は、椰子殻チップと、ピートモスと、泥炭を主材料とし、鉢体１の容量並びに栽培野菜の種別に応じて、所定の緩効性肥料を所定量混入させると共に、必要に応じて適宜量のパーライトやバーミュキューライトを混在させる。尚パーライトやバーミュキューライトは不燃性であるが、少量添加であり廃棄に際しての問題はない。
【００１３】
　支柱３は、鉢体１の外径と約一致する径の上下リング部３１と上下リング部３１を連結する縦杆部３２を備えたもので、高さを５０〜８０ｃｍとして、培養土２に差込んで立設してなる。
【００１４】
　栽培野菜（プチトマト）４は、少なくとも最初の結実を開始した状態の、実と花が並存している状態で、且つ充分な繁殖をなして、茎部分を前記支柱３に絡ませて、実の重量に対して茎が耐え得るようにしたものである。
【００１５】
　従って前記の栽培物は、全体が８０〜９０ｃｍのコンパクトな状態の鉢物商品として提供するものである。
【００１６】
　しかして前記栽培物の購入者は、自宅のベランダや庭先における日当たりの良い場所に配置し、単に給水するのみで、緩効性の肥料によって生育し続ける。そして完熟した実は適宜採取して食用に供するもので、給水を欠かさないようにすると、順次結実し、且つ採取可能となり、一株当たり２００個以上の収穫が期待できる。
【００１７】
　１シーズンの収穫が終了すると、植物は枯れてしまうで、培養土と一緒に通常の可燃性ゴミと同様に廃棄することができ、庭を有しないマンションのベランダでも容易に家庭菜園を実現できるものである。
【図面の簡単な説明】
【００１８】
【図１】本考案の実施例の全体図。
【符号の説明】
【００１９】
１　　　　鉢体
２　　　　培養土
３　　　　支柱
３１　　　上下リング部
３２　　　縦杆部
４　　　　栽培野菜（プチトマト）
【図１】
0003099986.tif 000003
(57)【要約】
【課題】　和洋家屋の洋間や和室などの居室空間に対し、違和感なくマッチし、且つ多目的に簡便な使用を可能とする小型屏風の提供。
【解決手段】　巾寸法３０ｃｍ〜６０ｃｍ、高さ寸法６０ｃｍ〜１２０ｃｍの大きさとなした壁面の複数枚を開閉自在に連結し、少なくとも１枚の壁面に対しミラーアクリル板による鏡面を形成させるのであり、他の壁面には色紙や書画などを飾るものとなしてある。このさい、ミラーアクリル板による鏡面を山、雲などの模様形状に取付けるものとなしたり、また壁面の内方及び又は外方に貼着する紙類に消臭及びマイナスイオン発生機能を附与するシートを使用したりする。
【選択図】　　　図１
0003099975.tif 000002
【実用新案登録請求の範囲】
【請求項１】
　巾寸法３０ｃｍ〜６０ｃｍ、高さ寸法６０ｃｍ〜１２０ｃｍの大きさとなした壁面の複数枚を開閉自在に連結し、少なくとも１枚の壁面に対しミラーアクリル板による鏡面を形成させたことを特徴とする小型屏風。
【請求項２】
　他の壁面には色紙や書画などを飾るものとなしてあることを特徴とする請求項１記載の小型屏風。
【請求項３】
　ミラーアクリル板による鏡面を山、雲などの模様形状に取付けるものとなしたことを特徴とする請求項１又は２記載の小型屏風。
【請求項４】
　壁面の内方及び又は外方に貼着する紙類に消臭及びマイナスイオン発生機能を付与するシートを使用したことを特徴とする請求項１，２又は３記載の小型屏風。
【考案の詳細な説明】
【技術分野】
【０００１】
　本考案は床の間や居間、或いは寝床などで使用される小型屏風に関する。
【背景技術】
【０００２】
　屏風は古来からのもので八尺、五尺、三尺屏風などであるが、専ら和式建築にマッチするものとしての使用である。今日、和洋建築の多様化により、屏風の使用は衰退の一途を辿っている。
【特許文献１】実用新案登録第３０９４０３７号
【考案の開示】
【考案が解決しようとする課題】
【０００３】
　本考案は、和洋建築の洋室や和室などの居室空間に対し、違和感なくマッチし、且つ多目的に簡便な使用を可能ならしめる小型屏風の提案である。
【課題を解決するための手段】
【０００４】
　本考案は、巾寸法３０ｃｍ〜６０ｃｍ、高さ寸法６０ｃｍ〜１２０ｃｍの大きさとなした壁面の複数枚を開閉自在に連結し、少なくとも１枚の壁面に対しミラーアクリル板による鏡面を形成させたものとなす。
　このさい、他の壁面には色紙や書画などを飾るものとなすのであり、又、ミラーアクリル板の鏡面は山や雲などの模様形状に切断したものを貼着させたりして装飾的効果を奏させるようにする。更には、壁面に使用する和紙を消臭及びマイナスイオン発生機能を付与するシートの使用となして良好な室内環境が得られるようにするのである。
【考案の効果】
【０００５】
　床の間は勿論、居間や寝床などの各所に簡便に載置し、鏡面の代用とする外に異色の装飾効果を発揮させるのであり、又吸湿、放湿、消臭などの良好な室内環境の保全に寄与するものとなるのである。
【考案を実施するための最良の形態】
【０００６】
　ミラーアクリル板の使用により軽量且つ持ち運びが簡便で使用勝手が良いものになった。
【実施例１】
【０００７】
　図１は本考案に係る小型屏風１の斜視図であって、本例では二曲の壁面１Ａ，１Ｂとなしたものを示す。本例に於ける各壁面の大きさは巾寸法ｓを３０ｃｍ〜６０ｃｍ、高さ寸法ｈを６０ｃｍ〜１２０ｃｍとなされるのであり、且つ内方及び外方の壁面には消臭シート２を貼着するものとなすのである。
【０００８】
　上記消臭シート２はホルムアルデヒド、アセトアルデヒド、アンモニア等の悪臭成分を吸収し且つ分解する機能を有するものであり、その主成分は臭成分や水分を吸着、放出を繰り返す事のできるベースポリマーと、ホルマリンのようなアルデヒドを化学的に中和する成分と、オキシダーゼのような機能を有する人工酵素とからなっている。また、マイナスイオンを発生する機能を備えた加工紙を使用したりするのである。
【０００９】
　３は上記に於ける内壁面の１つに取付けたミラーアクリル板であって、アクリル板の特殊加工により表面を鏡面に形成されるものとなしてあり、図示例では壁面の凡そ全体に対し、額縁の如き一定巾（凡そ３ｃｍ〜６ｃｍ）の縁枠４を形成したものとなして貼着させてある。
【００１０】
　５は他の壁面に取付けてある色紙である。図示例は色紙であるが、書や写真或いは切り絵その他を両面テープなどの使用で脱着自在に取付けしめるものである。
【００１１】
　図２の小型屏風１’は三曲１Ａ，１Ｂ，１Ｃとなした他の例を示すものであって、各壁面に消臭シートを使用したり、適宜色紙５や書画などを貼着させることは上記例と同様であるが、本例ではミラーアクリル板３を模様化したものを示す。
　即ち、本例で３ａは山を、３ｂは雲の形状に裁断したものを貼着してあり、模様化したものである。
　図示例では風景模様となしたものであるが、裁断可能の範囲で魚や鳥獣類、或いは任意な幾何学的模様のものも作成するのである。
【００１２】
　本考案品で使用されるミラーはアクリル樹脂板の加工品であるため、軽量であり且つ適宜裁断して図形化が容易である。而して図１に見られる如き長方形の鏡面の外に、図２に示す如き模様的な使用を可能にして、特色のある飾り置きとすることができ、和室洋室の何れの空間にもマッチさせることのできるものとなる。
　なお、ミラー面を活け花などの背面側に位置させた使用では、その背面と共に全体を大きく見させる特徴がある。また消臭シートその他の加工紙の使用で、快適且つ健康に優れる生活空間の形成に寄与するものである。
【図面の簡単な説明】
【００１３】
【図１】本考案に係る小型屏風の斜視図である。
【図２】他の例の斜視図である。
【符号の説明】
【００１４】
　１　　　小型屏風
　２　　　消臭シート
　３　　　ミラーアクリル板
　４　　　縁枠
　５　　　色紙
【図１】
0003099975.tif 000003
【図２】
0003099975.tif 000004
(57)【要約】【課題】道床バラスト全部の迅速な除去を可能にする機械を提供する。【解決手段】軌道６の道床１５を更新するための機械１は、道床１５の側部領域に位置するバラスト１６を収容するための２つの側部チェーン９を有している。付加的に、作業方向２に関して後置された、無端の、軌道６の下方に位置するバラストを収容するための、軌道６の周囲に巡らされた取り除きチェーン２３が設けられている。機械端部２１に位置した投下端部１７を有する第１の搬送装置２０は、汚れたバラスト１６を搬出するために設けられている。道床１５を復元するための新たなバラストは第２の搬送装置２８によって軌道６に供給される。【選択図】　　　図１
0003099973.tif 000002
【実用新案登録請求の範囲】
【請求項１】
軌道（６）の道床（１５）を更新するための機械において、ａ）道床（１５）の側部領域に位置するバラスト（１６）を収容するための、それぞれ無端チェーン（１２）によって形成された、機械横方向で互いに向かい合った２つの側部チェーン（９）が設けられており、該側部チェーン（９）がそれぞれ、駆動装置（１０）によって、軌道平面（１１）に対して垂直に延びた回転平面において可動であり、
ｂ）軌道（６）の下方に位置するバラストを収容するための、作業方向（２）に関して後置された、無端の、軌道（６）の周囲に巡らされた取り除きチェーン（２３）が設けられており、
ｃ）汚れたバラスト（１６）を搬出するための、機械端部（２１）に配置された投下端部（１７）を備えた、機械長手方向に延びた第１の搬送装置が設けられており、
ｄ）取り除きチェーン（２３）の背後に配置された投下端部（３０）まで新たなバラスト（１６）を搬送するための、機械端部（２１）に配置された収容端部（２９）を備えた、機械長手方向に延びた第２の搬送装置（２８）が設けられており、
ｅ）軌道（６）を持ち上げるための、投下端部（３０）のすぐ背後において機械フレーム（７）と結合された軌道持上げ装置（２７）が設けられていることを特徴とする、軌道（６）の道床（１５）を更新するための機械。
【考案の詳細な説明】
【０００１】
【考案の属する技術分野】
本考案は、軌道の道床を更新するための機械に関する。
【０００２】
【考案が解決しようとする課題】
本考案の課題は、道床バラスト全部の迅速な除去を可能にする、冒頭の形式の機械を提供することである。
【０００３】
【課題を解決するための手段】
本考案によれば、冒頭に述べた形式の機械に関する課題は、請求項の特徴部に挙げられた特徴によって解決された。
【０００４】
考案のその他の利点及び構成は図面から明らかである。
【０００５】
以下に本考案を、図面に示された実施例を参照にさらに詳細に説明する。
【０００６】
【考案の実施の形態】
図１及び図２に示された機械１は、作業方向２に関して、前方車両３と、前方の車両に連結された後方車両４とから成っている。これらの車両はそれぞれ、レール走行装置５を介して軌道６上を走行可能な機械フレーム７を有している。前方車両３の前方には、貯蔵車８が配置されている。
【０００７】
前方車両３は、機械横方向で互いに向き合った２つの側部チェーン９を有しており、これらの側部チェーンのそれぞれには、駆動装置１０によって軌道平面１１に対して垂直に可動な無端チェーン１２が装備されている。この無端チェーンは、駆動装置１３によって高さ調節可能であり、道床１５の側部領域１４にあるバラスト１６を収容するために設けられている。それぞれの側部チェーン９の投下端部１７は、搬送ベルト１９の収容端部１８の上方に位置し、この搬送ベルト１９は第１の搬送装置２０の一部である。この第１の搬送装置２０は、汚れたバラスト１６を搬出するために設けられており、機械端部２１に投下端部２２を有している。
【０００８】
後方車両４には、高さ調節可能な、軌道６の周りに巡らされた取り除きチェーン２３が位置しており、この取り除きチェーン２３は、回転駆動装置２４の下方に投下端部２５を有している。投下端部２５の下方には、第１の搬送装置２０の後方の収容端部２６が位置している。取り除きチェーン２３の前方及び後方に、軌道６を持ち上げるための軌道持上げ装置２が配置されている。
【０００９】
新たなバラスト１６を搬送するために、第２の搬送装置２８が設けられており、この第２の搬送装置２８は、前方の収容端部２９と後方の投下端部３０によって限定されている。投下端部３０は、取り除きチェーン２３と後方の軌道持上げ装置２７との間に配置されたシュート３１の上方に配置されている。
【００１０】
機械１は、労働配置において、走行駆動装置３２によって連続的に走行可能であり、この場合、両方の側部チェーン９は、前方の作業キャビネット３３にいる操作員によって制御され、後続の取り除きチェーン２３は、後方の作業キャビネット３４にいる操作員によって制御される。側部チェーン９及び取り除きチェーン２３によって、古い道床１５は継続的に収容され、第１の搬送装置２０によって、前方に位置する貯蔵車８へ投下されながら、これと並行して新たなバラスト１６の連続的な供給が行われる。新たなバラスト１６は、貯蔵車８の投下ベルト３５から第２の搬送装置２８上へ、さらにシュート３１を介して道床６に到達し、この道床は両方の道床持上げ装置２７によって持ち上げられている。
【００１１】
択一的に、当然ながら例えば収容端部２９は後方の機械端部３６に配置されていることもでき、この場合には、新たなバラストは、後方の機械端部３６に連結された貯蔵車に貯蔵される。
【図面の簡単な説明】
【図１】道床を更新するための機械の前方区分を示す図である。
【図２】側面図で示した機械の後方区分である。
【符号の説明】
１　機械、　２　作業方向、　３　前方車両、　４　後方車両、　５　レール走行装置、　６　軌道、　７　機械フレーム、　８　貯蔵車、　９　側部チェーン、　１０　駆動装置、　１１　軌道平面、　１２　無端チェーン、　１３　駆動装置、　１４　側部領域、　１５　道床、　１６　バラスト、　１７　投下端部、　１８　収容端部、　１９　搬送ベルト、　２０　第１の搬送装置、　２１機械端部、　２２　投下端部、　２３　取り除きチェーン、　２４　回転駆動装置、　２５　投下端部、　２６　収容端部、　２８　第２の搬送装置、　２９前方の収容端部、　３０　後方の投下端部、　３１　シュート、　３２　走行駆動装置、　３３，３４　作業キャビネット、　３５　投下ベルト、　３６　機械端部
【図１】
0003099973.tif 000003
【図２】
0003099973.tif 000004
(57)【要約】
【課題】　本考案は目薬の点眼口に円形又はだ円形の円筒上部蓋中央に空けた穴にねじ込み装着し、その円筒下部を覗くように眼球に当てがい点眼することにより、常に一定した距離位置から、片手でも暗闇でも小児から老人に至るまで失敗することなく素早く確実に点眼の向上をはかる。
【解決手段】　本考案は目薬（１）の点眼口（２）のキャップ（３）を外して補助具円筒上部蓋（４）に点眼口（２）をねじ込み、補助具本体（５）を装着し、補助具円筒下部（６）を覗くように眼球に当てがうことにより、常に一定した距離位置から片手でも暗闇でも小児から老人に至るまで失敗することなく素早く確実に点眼するのに役立つ。
【選択図】　図１
0003099980.tif 000002
【実用新案登録請求の範囲】
【請求項１】
　目薬の点眼口に、円形又はだ円形の円筒上部蓋中央に点眼口を差し込む為の空けた穴にねじ込み、その円筒下部を覗くようにして眼球に当てがい点眼することにより、常に一定した距離位置から点眼出来る補助具。
【考案の詳細な説明】
【考案の詳細な説明】
【技術分野】
【０００１】　本考案は、目薬を点眼する際に於いて、目薬の点眼口のキャップを外して円形又はだ円形の円筒上部蓋中央に空けた穴に点眼口をねじ込み、円筒下部を覗くようにして眼球に当てがい点眼することにより、常に一定した距離位置から片手でも暗闇でも小児から老人に至るまで、失敗することなく素早く確実に点眼出来る補助具に関するものである。
【背景技術】
【０００２】　従来は目薬を点眼する際、その都度極めて不特定距離位置から点眼する為、目薬が眼球を外れる失敗が多かった。
【考案が解決しようとする課題】
【０００３】　従来、目薬を点眼する際、その都度極めて不特定距離位置から点眼する為、目薬が眼球を外れる失敗が多かった。従って目薬の点眼口に補助具を装着し常に一定した距離位置から確実に点眼することにより、従来の様な点眼時の失敗を防ぐことになる。
【課題を解決するための手段】
【０００４】　本考案は、目薬の点眼口のキャップを外し、円形又はだ円形の補助具円筒上部蓋中央に空けた穴に点眼口をねじ込み装着し、その補助具円筒下部を覗くように眼球に当てがい点眼することにより、常に一定した距離位置から片手でも暗闇でも小児から老人に至るまで素早く確実に点眼出来ることで問題点を解決している。
【考案を実施するための最良の形態】
【０００５】　目薬の点眼口に円形又はだ円形の補助具円筒上部蓋中央に空けた穴にねじ込み装着し、その補助具円筒下部を覗くように眼球に当てがい点眼することにより、常に一定した距離位置から、片手でも暗闇でも小児から老人に至るまで失敗することなく素早く確実に点眼が可能となる。
【実施例】
【０００６】　以下、添付図面に従って一実施例を説明する。１は目薬　２は目薬の点眼口　３は目薬の点眼口のキャップ　４は補助具円筒上部蓋　５は円筒補助具　６は補助具円筒下部
【考案の効果】
【０００７】　上述のように本考案の点眼補助具は、点眼の際の失敗を防ぐのは勿論、常に一定した距離位置から片手でも暗闇でも小児から老人に至るまで失敗することなく素早く確実に点眼出来る効果がある。
【図面の簡単な説明】
【図１】本考案の点眼補助具を目薬に装着した立体図である
【図２】本考案の点眼補助具の立体図である
【図３】本考案の補助具で点眼使用後の目薬との立体図である
【符号の説明】
１　目薬
２　目薬の点眼口
３　目薬の点眼口のキヤップ
４　補助具円筒上部蓋
５　補助具本体
６　補助具円筒下部
【図１】
0003099980.tif 000003
【図２】
0003099980.tif 000004
【図３】
0003099980.tif 000005
(57)【要約】　　　（修正有）【課題】ウレタンを円滑に平らに切削できるナイフを得ること。【解決手段】把手部３を一端に設けた薄くて長い刃本体１の長手方向に添う左右両縁に刃４，５を形成して両刃となしたこと。【選択図】　　図１
0003099974.tif 000002
【実用新案登録請求の範囲】
【請求項１】
　把手部を一端に設けた薄くて長い刃本体の長手方向に添う左右両縁に刃を形成して両刃となしたウレタン削り用ナイフ。
【考案の詳細な説明】
【技術分野】
【０００１】
　本考案は特にウレタンの削りを円滑に行うためのナイフに関するものである。
【背景技術】
【０００２】
　従来は片方だけが刃のあるナイフで、切断しているため、反対側を削るとき刃を逆にしなければならず、他方の面を削るときは段差がでて、従って平らに切削できない欠点があった。
【考案の開示】
【考案が解決しようとする課題】
【０００３】
　本考案の課題は、ウレタンを円滑に段差なく平らに削ることができるナイフを得ることにある。
【課題を解決するための手段】
【０００４】
　本考案は前記課題を解決するためである。
【０００５】
　把手部を一端に設けた薄くて長い刃本体の長手方向に添う左右両縁に刃を形成して両刃となしたことにある。
【考案の効果】
【０００６】
　本考案によれば刃体をウレタンに刺してそのまま左又は右に移動させれば、ウレタン施工面を平らに削ることができる。
【考案を実施するための最良の形態】
【０００７】
　図において１は薄くて約３５ｃｍ程度の刃本体にその一端の屈曲部２に把手３を取付け本体１の左右両端部に刃先４及び５を設ける。６は刃本体の先端の尖鋭部でウレタンへの刺し込みを楽にしてある。
【図面の簡単な説明】
【０００８】
【図１】斜視図。
【図２】断面図。
【符号の説明】
【０００９】
１　　　刃本体
２　　　屈曲部
３　　　把手
４，５　刃先
６　　　尖鋭部
【図１】
0003099974.tif 000003
【図２】
0003099974.tif 000004
(57)【要約】
【課題】ネクタイを着用していて、物を入れることができるようにする。
【解決手段】ネクタイ本体にポケット部分１とポケット部分２を付けることによって物を入れることができるようにした。
【選択図】　図１
0003099979.tif 000002
【実用新案登録請求の範囲】
【請求項１】
ネクタイにポケットを付けて、物を入れることができるようにしたネクタイ。
【考案の詳細な説明】
【考案の詳細な説明】
【考案が解決しようとする課題】
【０００１】ネクタイはマナー、習慣、正装、好み等により着用しているが、機能性が無く便利さが無い。
【課題を解決するための手段】
【０００２】ネクタイにポケット部分１とポケット部分２を付けることによって、物を入れることができるようにした。
【考案の効果】
【０００３】ネクタイを着用した状態で、物を入れることができる。
【図面の簡単な説明】
【０００４】
【図１】ネクタイ本体裏面にポケット部分１とポケット部分２を示した平面図である。
【図２】ネクタイ本体と、ポケット部分１とポケット部分２とポケット部分２開閉部を示した断面図である。
【符号の説明】
【０００５】１　ネクタイ本体
２　ポケット部分１
３　ポケット部分２
４　ポケット部分２開閉部
【図１】
0003099979.tif 000003
【図２】
0003099979.tif 000004
(57)【要約】　　　（修正有）【課題】容易に体のいろいろな所を任意に指圧する指圧器具を提供する。【解決手段】Ｓ字を変形した棒状の指圧器具であって、１の箇所を肩・背・腰など凝った、いわゆるツボに当て、４の箇所に手のひらを当てて肩から下部に向かって押すことで１の箇所に力が加わり快適な指圧効果がある。また、この指圧器具を逆さまにして、２の箇所を首筋の凝った所に当てて数字３の所を下部に向かって押す。または、２の箇所を足の裏のツボに当て、３の箇所を足から自分の胸の方向に引くことで、無駄な力を使用せず指圧効果を発揮する快適な器具である。【選択図】図１
0003099938.tif 000002
【実用新案登録請求の範囲】
【請求項１】
棒状のＳ字形を飴を伸ばす如くＳ字形上部は大きく中部は長く下部は小さくしたＳ字形を変形した指圧器具。
【考案の詳細な説明】
この考案は図で示した通りＳ字を変形した棒状のもので、図面で説明すると図１の所を肩・背・腰など凝った、いわゆるツボに当て図４に手のひらを当てて肩から下部に向って押すことで図１に力が増加され快適な指圧効果がある筈。またこの器具をさかさまにして図２を首筋の凝った所に当てる、または図２を足の裏のツボに当て図３を引くことで無駄な力を使用せず指圧効果を発揮する快適な器具である。また容易に体のいろいろな所を任意に指圧することができる。
【図面の簡単な説明】
【図１】本案の側面図　素材は木及びプラスチック大きさは上部６から５まで直線で４５ｃｍ
【図１】
0003099938.tif 000003